(57)【特許請求の範囲】
【請求項１】
無線ネットワークへの接続機能を有するＡＶ機器において、
無線ネットワークへの接続時及び接続中に、前記無線ネットワークへの接続を認証する認証サーバとの間で行われる認証・暗号処理の経過を示す情報を、当該ＡＶ機器内で生成される時刻を示す情報と関連付けて記憶する記憶処理手段と、
前記記憶処理手段によって記憶された情報に基づき、前記認証・暗号処理の経過を時系列に示す画面を表示する表示処理手段と、
外部から入力されたファイルのうち、電子証明書のファイルを選択して記憶させるためのユーザインタフェース画面と、前記選択した電子証明書を管理するためのユーザインタフェース画面とを表示手段に表示させ、前記ユーザインタフェース画面上の操作に基づいて、電子証明書のファイルを記憶手段に記憶する処理と、記憶した電子証明書を管理する処理とを行う処理手段と、を備えた
ＡＶ機器。
【請求項２】
無線ネットワークのセキュリティ規格としてＷＰＡを用いた
請求項１に記載のＡＶ機器。
【請求項３】
前記ＡＶ機器は投射型表示装置であり、
前記表示処理手段は、前記認証・暗号処理の経過を時系列に示す画面を投影する
請求項１に記載のＡＶ機器。
【発明の詳細な説明】
【技術分野】
【０００１】
本発明は、無線ネットワークへの接続機能を有するＡＶ機器に関し、特に、認証・暗号処理の経過をＡＶ機器自身によって時系列に表示するようにしたものに関する。
【背景技術】
【０００２】
今日、様々なＡＶ機器に、IEEE 802.11規格群の無線ＬＡＮに接続する機能が搭載されつつある。そうしたＡＶ機器のひとつに、プロジェクタ（投射型表示装置）が存在する。
【０００３】
無線ＬＡＮ接続機能を有するプロジェクタは、例えば会議室で、各出席者が持参したノート型パーソナルコンピュータから無線ＬＡＮ経由で会議の資料のデータを転送して投影するというようにして用いることができる。
【０００４】
無線ＬＡＮへの接続を確立するためには、所定の手順を経る必要がある。例えば、インフラストラクチャー・モードでIEEE 802.1x規格の無線ＬＡＮに接続するためには、予め、クライアントの機器に、ＳＳＩＤ（Service Set ID）や、暗号キーや、ユーザ認証のためのユーザＩＤ，パスワード等を設定しておく。そして、クライアントの機器がこの設定内容に基づいて接続要求を行い、認証サーバ（RADIUSサーバ）がこの接続要求に応じて認証を行って接続を確立する。
【０００５】
しかし、この接続時の認証の過程では、なんらかの原因で接続の確立に失敗することがある。例えば、ＳＳＩＤ，暗号キー，ユーザＩＤ，パスワード等の設定を間違えていたり、クライアントの機器と認証サーバとで認証プロトコルが相違したりしていると、接続の確立に失敗する。
【０００６】
また、無線ＬＡＮのセキュリティ方式における複雑な相互接続性を原因として、接続の確立に失敗したり、接続の確立に成功した後でも接続が切断されてしまうことがある。
【０００７】
例えば会議室に設置しているプロジェクタで、無線ＬＡＮへの接続時や接続中にこのような問題が発生した場合、会議を開始したり続行するためには、その問題の原因を究明して、再度接続を試みなければならない。従来、こうした場合に原因を究明するためには、認証サーバのほうで、そのプロジェクタとの間での認証・暗号処理の経過を閲覧しなければならなかった。
【０００８】
他方、ＰＨＳ規格の無線通信に関する技術としては、画像形成装置（プリンタ等）にワイヤードで接続した子機と、ホストコンピュータにワイヤードで接続した親機とにそれぞれ通信履歴情報を記憶させ、この子機，親機にそれぞれワイヤードで接続した専用の表示装置に、この通信履歴情報を１項目ずつ（１コードずつ）表示させる技術が提案されていた（例えば、特許文献１参照。）。
【０００９】
【特許文献１】特開２００２−２９０６９４号公報（段落番号００５７〜００５９、図７，１，１５，１６）
【発明の開示】
【発明が解決しようとする課題】
【００１０】
しかし、認証サーバは、無線ＬＡＮに接続される多数の機器との間で認証・暗号処理を行っているので、目的とするプロジェクタとの間での認証・暗号処理の経過だけを見つけ出して閲覧することは困難である。
【００１１】
また、認証サーバを操作する権限がネットワーク管理者にしか与えられていなかったり、あるいは会議室と認証サーバの設置場所とが遠く離れていることにより、認証サーバでの閲覧が制約されることも少なくない。
【００１２】
他方、上記特許文献１に記載の技術では、本来使用する装置である画像形成装置以外に専用の表示装置を操作しなければならないので、操作性が悪くなる。しかも、１項目ずつしか表示が行われないので、何度も表示の切り換え操作を行わなければならない。その結果、さらに操作性が悪くなり、原因の究明にも時間がかかる。
【００１３】
本発明は、上述の点に鑑み、無線ネットワーク接続機能を有するＡＶ機器において、無線ネットワークへの接続時や接続中に問題が発生した場合に、容易にその原因を究明できるようにすることを課題としてなされたものである。
【課題を解決するための手段】
【００１４】
本発明は、無線ネットワークへの接続機能を有するＡＶ機器において、無線ネットワークへの接続時及び接続中に無線ネットワークへの接続を認証する認証サーバとの間で行われる認証・暗号処理の経過を示す情報を、当該ＡＶ機器内で生成される時刻を示す情報と関連付けて記憶する記憶処理手段と、この記憶処理手段によって記憶された情報に基づき、この認証・暗号処理の経過を時系列に示す画面を表示する表示処理手段と、外部から入力されたファイルのうち、電子証明書のファイルを選択して記憶させるためのユーザインタフェース画面と、前記選択した電子証明書を管理するためのユーザインタフェース画面とを表示手段に表示させ、前記ユーザインタフェース画面上の操作に基づいて、電子証明書のファイルを記憶手段に記憶する処理と、記憶した電子証明書を管理する処理とを行う処理手段とを備えたことを特徴とする。
【００１５】
本発明によるＡＶ機器では、無線ネットワークへの接続時（接続要求があってから接続が確立されるまで）及び接続中に認証サーバとの間で行われる認証・暗号処理の経過を示す情報が、当該ＡＶ機器内で生成される時刻を示す情報と関連付けてＡＶ機器内部に記憶される。そして、この記憶された情報に基づき、この認証・暗号処理の経過を示す画面が、ＡＶ機器自身によって表示される。さらに、外部から入力されたファイルのうち、電子証明書のファイルを選択して記憶させるためのユーザインタフェース画面と、選択した電子証明書を管理するためのユーザインタフェース画面とが表示手段に表示される。そして、ユーザインタフェース画面上の操作に基づいて、電子証明書のファイルが記憶手段に記憶され、記憶した電子証明書が管理される。
【００１６】
したがって、無線ネットワークへの接続時や接続中に問題が発生した場合に、認証サーバのような他の機器で閲覧を行ったり、上記特許文献１に記載のように専用の装置を操作したりすることなく、そのＡＶ機器自身が画面表示する情報を閲覧して、接続状況を確認し、問題の原因を究明することができる。
【００１７】
そして、この画面では、認証・暗号処理の経過が時系列に（１項目ずつではなく時間順に連続して複数項目）表示され、且つ、そのＡＶ機器自身が行った認証・暗号処理の経過だけが表示される（認証サーバのように、そのＡＶ機器以外の機器同士の間での認証・暗号処理の経過が表示されることはない）。これにより、どの段階でどのような原因によって問題が発生したのかを、容易に究明することができる。
【発明の効果】
【００１８】
本発明によれば、無線ネットワーク接続機能を有するＡＶ機器において、無線ネットワークへの接続時や接続中に問題が発生した場合に、容易にその原因を究明することができるという効果が得られる。
【発明を実施するための最良の形態】
【００１９】
以下、本発明を図面を用いて具体的に説明する。なお、以下では、液晶プロジェクタに本発明を適用した例について説明する。
【００２０】
図１は、本発明を適用した液晶プロジェクタを、その利用例とともに示す図である。例えば会議室で、液晶プロジェクタ（以下単にプロジェクタと呼ぶ）２１が、アクセスポイント（ＡＰ）２３を介して認証サーバ２４に接続要求を行うことにより、インフラストラクチャー・モードでIEEE 802.1x規格の無線ＬＡＮに接続する。
【００２１】
同様に、各出席者が会議室に持参したノート型パーソナルコンピュータ（以下ノートＰＣと呼ぶ）２２（１）〜２２（ｎ）が、アクセスポイント２３を介して認証サーバ２４に接続要求を行うことにより、インフラストラクチャー・モードでIEEE 802.1x規格の無線ＬＡＮに接続する。
【００２２】
そしてノートＰＣ２２（１）〜２２（ｎ）から無線ＬＡＮ経由でプロジェクタ２１に会議の資料のデータを転送し、プロジェクタ２１でその資料をスクリーン２５に投影する。
【００２３】
図２は、プロジェクタ２１内の回路のうち、本発明に関連する部分の構成を示すブロック図である。無線アンテナ１は、電波信号を受信して送受信部２へ受信信号を出力するとともに、送受信部２から出力される信号を電波信号として送信する。
【００２４】
送受信部２は、無線アンテナ１から受信した信号を認証・暗号処理部３へ出力するとともに、認証・暗号処理部３から出力した信号を無線アンテナ１へ出力する。
【００２５】
認証・暗号処理部３は、無線ＬＡＮのセキュリティ規格の一つであるＷＰＡ（Wi-Fi Alliance）を利用するためのソフトウェアであるサプリカントがインストールされたプロセッサである。ＷＰＡでは、IEEE 802.1x規格の認証プロトコルであるＥＰＡ（Extensible Authentication Protocol）が採用されるとともに、暗号化プロトコルとしてＴＫＩＰ（Temporal Key Integrity Protocol）が採用されている。
【００２６】
認証・暗号処理部３は、無線ＬＡＮへの接続時（接続要求があってから接続が確立されるまで）及び接続中に、送受信部２からの受信信号に対してＷＰＡを利用して認証・暗号処理を行なうとともに、ＷＰＡを利用して認証・暗号処理を行なった送信信号を送受信部２へ出力する。
【００２７】
また、認証・暗号処理部３は、この認証・暗号処理の経過を示す情報を、ログコードの形式で順次制御部６に供給する。制御部６は、プロジェクタ２１内の各部を制御するプロセッサである。制御部６は、認証・暗号処理部３から供給される情報を、タイマ８から供給される時刻情報（現在の日付け及び時分秒の情報）と関連付けて、メモリ７に記憶させる。
【００２８】
キー操作部５には、通常のプロジェクタにおけるのと同じ操作を行うためのキーに加えて、無線ＬＡＮへの接続状況を表示するためのキーが設けられている。制御部６は、このキーの操作に応じて、メモリ７に記憶した前述の認証・暗号処理の経過情報及び時刻情報に基づき、この認証・暗号処理の経過を時系列に示す画面である接続状況画面の画像データを生成する。そして、その画像データを、プロジェクタ２１内の液晶パネル（図示略）を駆動するＬＣＤドライバ４に供給する。
【００２９】
これにより、この接続状況画面がプロジェクタ２１から投影（図１ではスクリーン２５に投影）される。
【００３０】
図３は、この接続状況画面のレイアウト及び表示内容の例を示す図である。この接続状況画面の「Ｌｏｇ：」欄には、最も上の行に現在の時刻（図３（ａ）の例では6/10 07:50:00、図３（ｂ）の例では6/10 08:50:20）が表示され、２行目以下に認証・暗号処理の経過が時刻の新しい順に１行ずつ表示されるようになっている。
【００３１】
図３（ａ）は、接続の確立に成功し（上から２行目の「6/10 07:14:48  IP Address-Assigned」）、その後接続が切断されることなく現在の時刻に至っている場合の例である。
【００３２】
図３（ｂ）は、ユーザＩＤが相違する（上から５行目の「6/10 08:50:08  802.1x-Err_Misc」）ために接続の確立に失敗し（上から３行目の「6/10 08:50:08  802.1x-Disconnected」）、再度接続を試みて（上から２行目の「6/10 08:50:09  802.1x-Connecting」）、現在の時刻に至っている場合の例である。
【００３３】
この図３（ａ），（ｂ）に例示した以外にも、例えば、パスワードの設定を間違えていた場合には、図３（ａ）の上から６行目の「6/10 07:14:46  802.1x-hase2-Request-MSCHAPv2」に相当する段階で、パスワードが相違することを示す情報が表示され、接続の確立に失敗する。
【００３４】
また、プロジェクタ２１と図１の認証サーバ２４とで認証プロトコルが相違している場合には、図３（ａ）の下から４行目の「6/10 07:14:46  802.1x-Authenticating」と下から５行目との間に相当する段階で、認証プロトコルが相違することを示す情報が表示され、接続の確立に失敗する。
【００３５】
また、接続の確立に成功した後に接続が切断された場合には、図３（ａ）の上から２行目の「6/10 07:14:48  IP Address-Assigned」と最も上の行との間に相当する段階で、その経過を示す情報が表示される。
【００３６】
図１に戻り、キー操作部５には、プロジェクタ２１にインストールしたい電子証明書を選択するためのＧＵＩ画面（以下「電子証明書選択用ＧＵＩ画面」と呼ぶ）や、この電子証明書選択用ＧＵＩ画面によってインストールした電子証明書を管理するためのＧＵＩ画面（以下「電子証明書管理用ＧＵＩ画面」と呼ぶ）を表示するためのキーも設けられている。
【００３７】
ファイル入力部９は、この電子証明書選択用ＧＵＩ画面を実現するためのプロセッサである。プロジェクタ２１に設けられている小型メモリメディアインタフェース１０に小型メモリメディアが装着されている状態で、電子証明書選択用ＧＵＩ画面を表示する操作がキー操作部５で行われると、ファイル入力部９は、その小型メモリメディアから電子証明書のファイルを検索する。
【００３８】
また、図示は省略するが、プロジェクタ２１はＷＥＢサーバー機能を搭載している。そして、既に無線ＬＡＮに接続されており、ネットワーク上のＷＥＢブラウザを搭載した他の機器(パーソナルコンピュータ等)にアクセスしている場合は、ファイル入出力部９は、無線アンテナ１，送受信部２，認証・暗号処理部３及びＷＥＢサーバー機能部を介して、その機器からも電子証明書のファイルを検索する。
【００３９】
ファイル入力部９は、このようにして検索した電子証明書のファイルのパス名の情報を、制御部６に供給する。
【００４０】
制御部６は、ファイル入力部９からこのパス名の情報が供給されると、電子証明書ファイル選択用ＧＵＩ画面の画像データを生成する。そして、その画像データをＬＣＤドライバ４に供給する。これにより、この電子証明書ファイル選択用ＧＵＩ画面がプロジェクタ２１から投影される。
【００４１】
図４は、この電子証明書ファイル選択用ＧＵＩ画面のレイアウト及び表示内容の例を示す図である。ファイル入力部９によって検索された電子証明書のファイルのディレクトリ名（この例では‘Certificate’）及びパス名（この例では‘FPJ2.pfx’，‘Cert1’等）が表示される。
【００４２】
ユーザが、このＧＵＩ画面上で、インストールしたい電子証明書のパス名を選択する操作（この例では‘Cert1’が選択されている）と、選択ボタン２１を押す操作とをキー操作部５で行うと、制御部６は、その選択された電子証明書のファイルをメモリ７にインストールする。
【００４３】
すなわち、その電子証明書のファイルが小型メモリメディアに格納されている場合には、ファイル入力部９にそのファイルを読み出させて、メモリ７にインストールする。
【００４４】
また、その電子証明書のファイルがネットワーク上の他の機器に格納されている場合には、無線アンテナ１，送受信部２，認証・暗号処理部３によってそのファイルをダウンロードして、メモリ７にインストールする。
【００４５】
電子証明書管理用ＧＵＩ画面を表示する操作がキー操作部５で行われると、制御部６は、電子証明書管理用ＧＵＩ画面の画像データを生成する。そして、その画像データをＬＣＤドライバ４に供給する。これにより、この電子証明書管理用ＧＵＩ画面がプロジェクタ２１から投影される。
【００４６】
図５は、この電子証明書管理用ＧＵＩ画面のレイアウト及び表示内容の例を示す図である。既にインストール済みの電子証明書の名称（この例では‘ＣＡ１’〜ＣＡ４’）が一覧表示される。
【００４７】
ユーザが、このＧＵＩ画面上で、利用したい電子証明書の名称を選択する操作と、追加ボタン２２を押す操作とをキー操作部５で行うと、制御部６は、その選択された電子証明書を、認証・暗号処理部３での認証処理に利用する電子証明書として決定する。そして、その電子証明書を、電子証明書管理部１１に管理させる。
【００４８】
また、このＧＵＩ画面上で、既に利用している電子証明書の名称を選択する操作と、削除ボタン２３を押す操作とをキー操作部５で行うと、制御部６は、その選択された電子証明書に関する情報を、電子証明書管理部１１から削除させる。
【００４９】
また、このＧＵＩ画面上で、既に利用している電子証明書の名称を選択する操作と、表示ボタン２４を押す操作とをキー操作部５で行うと、制御部６は、その選択された電子証明書のプロパティ（バージョン，シリアル番号，署名アルゴリズム，発行者，有効期間等）の画面の画像データを生成する。そして、その画像データをＬＣＤドライバ４に供給する。これにより、電子証明書のプロパティの画面がプロジェクタ２１から投影される。
【００５０】
電子証明書管理部１１は、電子証明書を管理するソフトウェアがインストールされたプロセッサである。認証・暗号処理部３は、電子証明書管理部１１が電子証明書を管理している場合には、その電子証明書を利用したＰＫＩ（公開鍵基盤）による認証処理を行う。
【００５１】
次に、このプロジェクタ２１を無線ＬＡＮに接続する様子について説明する。プロジェクタ２１に、予め、ＳＳＩＤ（Service Set ID）や、暗号キーや、ユーザ認証のためのユーザＩＤ，パスワード等を設定しておく。そして、図１に示したように、例えば会議室で、プロジェクタ２１がこの設定内容に基づいて接続要求を行い、認証サーバ２４がこの接続要求に応じて認証を行って接続を確立する。
【００５２】
しかし、この接続時の認証の過程では、なんらかの原因で接続の確立に失敗することがある。例えば、ＳＳＩＤ，暗号キー，ユーザＩＤ，パスワード等の設定を間違えていたり、プロジェクタ２１の機器と認証サーバ２４とで認証プロトコルが相違したりしていると、接続の確立に失敗する。
【００５３】
また、無線ＬＡＮのセキュリティ方式における複雑な相互接続性を原因として、接続の確立に失敗したり、接続の確立に成功した後でも接続が切断されてしまうことがある。
【００５４】
無線ＬＡＮへの接続時や接続中にこのような問題が発生した場合、会議を開始したり続行するためには、その問題の原因を究明して、再度接続を試みなければならない。
【００５５】
そうした場合、会議の出席者は、プロジェクタ２１のキー操作部５を操作して、図３に示したような接続状況画面をプロジェクタ２１からスクリーン２５に投影させる。そして、この接続状況画面で接続状況を確認し、問題の原因を究明する。
【００５６】
例えば、接続状況画面の表示内容が図３（ｂ）のようなものであった場合には、「Ｌｏｇ：」欄の上から５行目の「6/10 08:50:08  802.1x-Err_Misc」という表示から、ユーザＩＤの設定を間違えており、プロジェクタ２１に正しいユーザＩＤを設定し直さなければならないことが判明する。
【００５７】
このように、プロジェクタ２１での無線ＬＡＮへの接続時や接続中に問題が発生した場合に、認証サーバ２４のような他の機器で閲覧を行ったり、プロジェクタ２１以外の専用の装置を操作したりすることなく、プロジェクタ２１自身を操作し、プロジェクタ２１自身によって表示される接続状況画面を閲覧して、接続状況を確認し、問題の原因を究明することができる。
【００５８】
そして、この接続状況画面では、認証・暗号処理の経過が時系列に（１項目ずつではなく時間順に連続して複数項目）表示され、且つ、そのプロジェクタ２１自身が行った認証・暗号処理の経過だけが表示される（認証サーバ２４のように、プロジェクタ２１以外の機器同士の間での認証・暗号処理の経過が表示されることはない）。
【００５９】
これにより、無線ＬＡＮへの接続時や接続中に問題が発生した場合に、どの段階でどのような原因によって問題が発生したのかを、容易に究明することができる。したがって、ＷＰＡのような複雑な相互接続性を有するセキュリティ方式を採用した無線ＬＡＮに接続する場合にも、このプロジェクタ２１を有効に活用することができる。
【００６０】
さらに、このプロジェクタ２１では、図４，図５に示した電子証明書選択用ＧＵＩ画面，電子証明書管理用ＧＵＩ画面上で操作を行うことにより、他の機器（パーソナルコンピュータ等）を用いることなく、容易に電子証明書をインストールして管理することができる。
【００６１】
これにより、電子証明書を利用した認証処理を行うセキュリティ方式を採用した無線ＬＡＮにも、容易にこのプロジェクタ２１を接続することができる。こうした無線ＬＡＮにプロジェクタ２１を接続することにより、図１に例示したようにパーソナルコンピュータ等からプロジェクタ２１に会議の資料のデータを転送する場合に、セキュリティの強化が期待できる。
【００６２】
さらに、このプロジェクタ２１では、ＷＰＡを利用して認証・暗号処理を行うので、パーソナルコンピュータ等におけると同様のネットワーク設定を行なうことができる。これにより、プロジェクタ２１を無線ＬＡＮに接続するために独自のセキュリティ設定等を行う必要がなくなり、ネットワーク管理の負担軽減効果が期待できる。
【００６３】
また、パーソナルコンピュータ等から、セキュリティ規格としてＷＰＡが採用されている無線ＬＡＮを介してこのプロジェクタ２１を操作することも可能になる。これにより、プロジェクタの活用範囲を広げることができる。
【００６４】
なお、以上の例では、接続状況画面（図３）で認証・暗号処理の経過を表示しているが、これに加えて、なんらかの問題があった場合にその部分をクローズアップするような表示（図３（ｂ）の例では、ユーザＩＤが相違しているので、「ユーザＩＤが相違しています」というような文字の表示」）を接続状況画面で行うようにしてもよい。
【００６５】
また、以上の例ではＷＰＡを利用して認証・暗号処理を行っているが、別の例として、暗号化プロトコルとしてＡＥＳ（Advanced Encription Standard）を採用したセキュリティ規格であるＷＰＡ２（Wi-Fi Alliance２）を利用して認証・暗号処理を行うようにしてもよい。
【００６６】
また、以上の例では、プロジェクタ２１をインフラストラクチャー・モードで無線ＬＡＮに接続しているが、ＷＰＡ２を利用する場合には、プロジェクタ２１をアドホック・モードで無線ＬＡＮに接続するようにしてもよい。例えば図１のノートＰＣ２２（１）〜２２（ｎ）とプロジェクタ２１とでアドホック・モードの無線ＬＡＮを構築した場合には、プロジェクタ２１と個々のノートＰＣ２２（１）〜２２（ｎ）との間で接続時及び接続中に行われる認証・暗号処理の経過が接続状況画面（図３）に表示されるので、個々のノートＰＣ２２（１）〜２２（ｎ）との接続状況を確認することができる。
【００６７】
また、以上の例ではプロジェクタに本発明を適用しているが、無線ネットワークへの接続機能を有するあらゆる種類のＡＶ機器に本発明を適用してよい。
【図面の簡単な説明】
【００６８】
【図１】本発明を適用したプロジェクタを、その利用例とともに示す図である。
【図２】図１のプロジェクタ内の回路のうち、本発明に関連する部分の構成を示すブロック図である。
【図３】接続状況画面のレイアウト及び表示内容の例を示す図である。
【図４】電子証明書ファイル選択用ＧＵＩ画面のレイアウト及び表示内容の例を示す図である。
【図５】電子証明書管理用ＧＵＩ画面のレイアウト及び表示内容の例を示す図である。
【符号の説明】
【００６９】
１  無線アンテナ、  ２  送受信部、  ３  認証・暗号処理部、  ４  ＬＣＤドライバ、  ５  キー操作部、６  制御部、  ７  メモリ、  ８  タイマ、  ９  ファイル入力部、  １０  メモリメディアＩ／Ｆ、  １１  電子証明書管理部、  ２１  プロジェクタ、  ２２（１）〜２２（ｎ）  ノートＰＣ、  ２３  アクセスポイント、  ２４  認証サーバ、  ２５  スクリーン
【図１】
0004529825.tif 000002
【図２】
0004529825.tif 000003
【図３】
0004529825.tif 000004
【図４】
0004529825.tif 000005
【図５】
0004529825.tif 000006